(57)【要約】 【課題】グランド等の改修に際し、側溝の嵩上げを簡便な構造で実現でき、古くなった現場の土等を場外に搬出せずして現状のグランド等の上に新しい土等をそのまま敷設でき、グランド等と側溝の上面レベルを同一に保持できる。【解決手段】側溝１の側壁１０の上部１１に設置して側壁１０を嵩上げする所定高さの嵩上げパイプ材２と、嵩上げパイプ材２を側壁１０に固定する固定部材５とから成る側溝１の嵩上げ具である。嵩上げパイプ材２は水平方向に所定の長さを有し、その上面２ａに引掛け孔３が形成されていると共に、固定部材５は側溝１の側壁１０に沿って垂直方向に所定の長さを有する線材６Ａであり、その上部が嵩上げパイプ材２の引掛け孔３に係止されるフック部６０に形成されている。【選択図】       図１
0003107971.tif 000002
【実用新案登録請求の範囲】
【請求項１】
側溝の側壁の上部に設置して前記側壁を嵩上げする所定高さの嵩上げパイプ材と、当該嵩上げパイプ材を前記側壁に固定する固定部材とから成る側溝の嵩上げ具であって、
前記嵩上げパイプ材は前記側溝の側壁の幅寸と略同じ幅寸と高さで水平方向に所定の長さを有する水平なパイプで形成され、その上面に引掛け孔が形成されていると共に、前記固定部材は前記側溝の側壁に沿って垂直方向に所定の長さを有する線材であり、その上部が前記嵩上げパイプ材の引掛け孔に係止されるフック部に形成されていることを特徴とする側溝の嵩上げ具。
【請求項２】
側溝の側壁の上部に設置して前記側壁を嵩上げする所定高さの嵩上げパイプ材と、当該嵩上げパイプ材を前記側壁に固定する固定部材とから成る側溝の嵩上げ具であって、
前記嵩上げパイプ材は前記側溝の側壁の幅寸と略同じ幅寸と高さで水平方向に所定の長さを有する水平なパイプで形成され、その外側面に丸パイプで形成されたガイドパイプより成るガイド部材が垂直方向に設置されていると共に、前記固定部材は前記側溝の側壁に沿って垂直方向に所定の長さを有する釘等の線材であり、その線材が前記嵩上げパイプ材のガイド部材に上方から挿通されて成ることを特徴とする側溝の嵩上げ具。
【請求項３】
嵩上げパイプ材のガイド部材は、挿し込み孔を有する把手形状のガイド金具であると共に、固定部材は下端部がＶ字状に尖った尖鋭部に形成された平板であり、当該平板が前記ガイド金具の挿し込み孔に挿し込まれた構成であることを特徴とする、請求項２に記載した側溝の嵩上げ具。
【請求項４】
固定部材である釘等の線材又は平板の上部が、前記嵩上げパイプ材の外側面に溶接等で固着されて成ることを特徴とする、請求項２又は３に記載した側溝の嵩上げ具。
【請求項５】
側溝の側壁の上部に設置して前記側壁を嵩上げする所定高さの嵩上げパイプ材と、当該嵩上げパイプ材を前記側壁に固定する固定部材とから成る側溝の嵩上げ具であって、
前記嵩上げパイプ材は前記側溝の側壁の幅寸より小さい幅寸で水平方向に所定の長さを有する水平なパイプで形成され、その外側面に、垂直面部及びガイド通孔を有する水平面部に形成されたＬ型断面形状の突出ガイド金具より成るガイド部材の前記垂直面部が設置されていると共に、前記固定部材は前記側溝の側壁に沿って垂直方向に所定の長さを有する釘等の線材であり、その線材が、前記嵩上げパイプ材の幅寸方向に突出して設置されたガイド部材の水平面部のガイド通孔に上方から挿通されて成ることを特徴とする側溝の嵩上げ具。
【請求項６】
嵩上げパイプ材のガイド部材を構成するＬ型断面形状の突出ガイド金具が、コ字状断面形状の突出ガイド金具によって、嵩上げパイプ材の外側面に設置される垂直面部及び上下に各々ガイド通孔を有する上側水平面部と下側水平面部に形成され、固定部材を構成する線材が、前記嵩上げパイプ材の幅寸方向に突出する上側水平面部と下側水平面部の各ガイド通孔に上方から挿通されて成ることを特徴とする、請求項５に記載した側溝の嵩上げ具。
【請求項７】
側溝の側壁の上部に設置して前記側壁を嵩上げする所定高さの嵩上げパイプ材と、当該嵩上げパイプ材を前記側壁に固定する固定部材とから成る側溝の嵩上げ具であって、
前記嵩上げパイプ材は前記側溝の側壁の幅寸と略同じ幅寸と高さで、水平方向に所定の長さを有する水平なパイプで形成されていると共に、前記固定部材は、上方が接合片で下方が突出片の平板より成る垂直な一対の側板で形成され、当該側板はその上方接合片が前記嵩上げパイプ材の左右の内外側面にそれぞれ接合され、下方突出片が下方に突き出されて成ることを特徴とする側溝の嵩上げ具。
【請求項８】
固定部材の側板の一対の下方突出片に、ボルト孔が形成されており、当該下方突出片に懸架された側溝の側壁に対し、前記ボルト孔に外側又は／及び内側からボルトで締め付け自在に構成されていることを特徴とする、請求項７に記載した側溝の嵩上げ具。
【請求項９】
嵩上げパイプ材は、側溝の両側の側壁の上部にそれぞれ設置される一対の２本１組単位で構成されていることを特徴とする、請求項１又は２又は３又は４又は５又は６又は７に記載した側溝の嵩上げ具。
【請求項１０】
嵩上げパイプ材が角パイプであることを特徴とする、請求項１又は２又は３又は４又は５又は６又は７又は９に記載した側溝の嵩上げ具。
【請求項１１】
嵩上げパイプ材の上に側溝の蓋体が被覆されており、嵩上げされた当該蓋体の上面レベルが隣接するグランド又は公園の広場等の上面レベル位置となるように構成されていることを特徴とする、請求項１又は２又は３又は４又は７又は９に記載した側溝の嵩上げ具。
【請求項１２】
嵩上げパイプ材の下底面に、嵩上げレベルを調整するレベル調整部材が付設され、側溝の側壁の嵩上げレベルが調整自在に構成されていることを特徴とする、請求項１又は２又は３又は４又は５又は６又は７又は９又は１０又は１１に記載した側溝の嵩上げ具。
【請求項１３】
嵩上げパイプ材の下底面に付設されたレベル調整部材が側溝の側壁の上部に設置されることにより、当該レベル調整部材の高さ分で排水可能な隙間が前記側壁の上方に形成されて成ることを特徴とする、請求項１２に記載した側溝の嵩上げ具。
【請求項１４】
嵩上げパイプ材の全長が５００ｍｍ〜２０００ｍｍであることを特徴とする、請求項１又は２又は３又は４又は５又は６又は７又は９又は１０又は１１又は１２又は１３に記載した側溝の嵩上げ具。
【請求項１５】
側溝の側壁に隣接する既設のグランド又は公園の広場等の上における前記側壁寄り位置で、当該側壁の外側面に沿って固定部材が垂直方向に支持されつつ、嵩上げパイプ材が前記既設のグランド等より高いレベル位置で設置可能に構成されていることを特徴とする、請求項１又は２又は３又は４又は１０又は１４に記載した側溝の嵩上げ具。
【考案の詳細な説明】
【技術分野】
【０００１】
本考案は、グランドや公園の広場等（以下、単に「グランド」ということがある）の脇に設置されたＵ字溝等の側溝の嵩上げ具に係り、さらに言えば、古くなったグランド等は、その古いままの状態で、グランド等の上に新しい土や砂、アスファルト等を敷設した際のグランド等の上面レベルに、側溝の上面レベルをそろえるために側溝の嵩上げを行う嵩上げ具の技術分野に関する。
【背景技術】
【０００２】
従来、学校や公園等のクレー系のグランドは、１０年ぐらい毎に、表層の古い土を新しい土に入れ替えることにより改修を行っている。グランドの改修に当たっては、側溝との段差によって競技者がその側溝に足をとられて危なくないように、グランドと側溝の上面レベルを同じに保つ必要がある。
【０００３】
図２５にグランド改修の一般的な従来例を示した。同図Ａに示したグランドｇの外周縁に排水用の側溝１０が設けられており、古くなったグランドｇの表層の土ｇ−２を新しい土に入れ換える。そのために、同図Ｂに示した如く、前記表層の古い土ｇ−２をグランドｇの外に搬送して取り除く。そして、同図Ｃに示した下層の土ｇ−１の上に、前記場外に搬出した古い土ｇ−２の分量に略相当する分量の新しい土ｇ−３を敷設して均す。かくして、新しい土ｇ−３の上面レベルｋと、既設の側溝１０の蓋体１２の上面レベルｍとの同一を保持している。
【０００４】
また実開平６−３５３８４号公開公報には、底部と、この底部から延設された一対の側壁と、各側壁の上端にそれぞれ設けられた蓋載置部とを備え、各蓋載置部に蓋載置面が設けられ、一対の側壁の間に凹部が設けられているコンクリート製の側溝部材；前記蓋載置面に載置可能なゴム製の蓋；及び底面に突起を有する一対のゴム製の受け板を備えた側溝構造体であって、前記蓋が一対の前記蓋載置面に載置され、前記凹部が前記蓋によって覆われ、前記受け板が一対の前記蓋載置面にそれぞれ載置され、一対の前記受け板の間に前記蓋が挟まれ、各受け板の前記突起が前記蓋載置部内に生コンクリートの一体成形によって埋設されており、これによって各受け板が蓋載置部に固定されている側溝構造体が記載されている。
【特許文献１】実開平６−３５３８４号公開実用新案公報
【考案の開示】
【考案が解決しようとする課題】
【０００５】
前記図２５の従来一般のやり方では、古い土ｇ−２をグランドｇの外へ搬送して取り除く必要があり、その作業が大変面倒である。そのグランド外に搬出する古い土ｇ−２の量は、その高さが側溝１０の蓋体１２の高さ分（約１００ｍｍ）にも及び、施工コストの上昇にもなっている。その上、工期も長くかかり、更に古い土の廃棄処分は環境問題にも影響を及ぼしている。
【０００６】
また、前記実開平６−３５３８４号公開公報に記載された側溝構造体は、コンクリート製の側溝部材の一対の蓋載置面にそれぞれゴム製の受け板が載置され、これら一対の受け板の間に、側溝部材の凹部（溝）を覆う蓋が挟まれており、蓋の両側にそれぞれ受け板が固定されている。そして、一方の受け板の側縁が擁壁側に当たり、他方の受け板の側縁が盛り土側に当たるので、グランド側の盛り土が経時的に若干崩れてきても、蓋までは土砂に埋まらない構成となっている。しかし、この側溝構造体はそれ自体嵩上げするものではなく、隣接するグランドの上に上記の如く新たな土を加えれば、当然のことながら側溝構造体の蓋は相対的に下方に位置し、その蓋の上まで新たな土砂が容易に覆いかぶさることとなる。
【０００７】
したがって、本考案の目的は、クレー系グランドや全天候型グランド又は公園の広場等の改修に際し、予め側溝の嵩上げを簡便な構造で実現でき、現状の古いままのグランド等の上に新しい土やアスファルト等をそのまま敷設でき、その新たなグランド等と側溝の上面レベルを同一に保持できて、グランド等の改修工事の容易化とそれに伴う施工コストダウン、工期の短縮化等を図った側溝の嵩上げ具を提供することにある。
【課題を解決するための手段】
【０００８】
請求項１記載の考案の側溝の嵩上げ具は、側溝１の側壁１０の上部１１に設置して前記側壁１０を嵩上げする所定高さの嵩上げパイプ材２と、当該嵩上げパイプ材２を前記側壁１０に固定する固定部材５とから成る側溝１の嵩上げ具であって、前記嵩上げパイプ材２は前記側溝１の側壁１０の幅寸と略同じ幅寸と高さで水平方向に所定の長さを有する水平なパイプ２０で形成され、その上面２ａに引掛け孔３が形成されていると共に、前記固定部材５は前記側溝１の側壁１０に沿って垂直方向に所定の長さを有する線材６Ａであり、その上部が前記嵩上げパイプ材２の引掛け孔３に係止されるフック部６０に形成されていることを特徴とする。
【０００９】
請求項２記載の考案の側溝の嵩上げ具は、側溝１の側壁１０の上部１１に設置して前記側壁１０を嵩上げする所定高さの嵩上げパイプ材２と、当該嵩上げパイプ材２を前記側壁１０に固定する固定部材５とから成る側溝１の嵩上げ具であって、前記嵩上げパイプ材２は前記側溝１の側壁１０の幅寸と略同じ幅寸と高さで水平方向に所定の長さを有する水平なパイプ２０で形成され、その外側面２ｂに丸パイプで形成されたガイドパイプ２ｃより成るガイド部材が垂直方向に設置されていると共に、前記固定部材５は前記側溝１の側壁１０に沿って垂直方向に所定の長さを有する釘６１等の線材６Ｂであり、その線材６Ｂが前記嵩上げパイプ材２のガイド部材２ｃに上方から挿通されて成ることを特徴とする。
【００１０】
請求項３記載の考案の側溝の嵩上げ具は、前記嵩上げパイプ材２のガイド部材が、挿し込み孔２１を有する把手形状のガイド金具２ｄであると共に、固定部材５は下端部がＶ字状に尖った尖鋭部６２に形成された平板６Ｃであり、当該平板６Ｃが前記ガイド金具２ｄの挿し込み孔２１に挿し込まれた構成であることを特徴とする。
【００１１】
請求項４記載の考案の側溝の嵩上げ具は、前記固定部材５である線材６Ａ、６Ｂ又は平板６Ｃの上部が、前記嵩上げパイプ材２の外側面２ｂに溶接等で固着されて成ることを特徴とする。
【００１２】
請求項５記載の考案の側溝の嵩上げ具は、側溝１の側壁１０の上部１１に設置して前記側壁１０を嵩上げする所定高さの嵩上げパイプ材２と、当該嵩上げパイプ材２を前記側壁１０に固定する固定部材５とから成る側溝１の嵩上げ具であって、前記嵩上げパイプ材２は前記側溝１の側壁１０の幅寸Ｗより小さい幅寸Ｗ’で水平方向に所定の長さを有する水平なパイプ２０で形成され、その外側面２ｂに、垂直面部２３及びガイド通孔２５を有する水平面部２４に形成されたＬ型断面形状の突出ガイド金具２ｅより成るガイド部材の前記垂直面部２３が設置されていると共に、前記固定部材５は前記側溝１の側壁１０に沿って垂直方向に所定の長さを有する釘６１等の線材６Ｂであり、その線材６Ｂが、前記嵩上げパイプ材２の幅寸Ｗ’の方向に突出して設置されたガイド部材の水平面部２４のガイド通孔２５に上方から挿通されて成ることを特徴とする。
【００１３】
請求項６記載の考案の側溝の嵩上げ具は、前記嵩上げパイプ材２のガイド部材を構成するＬ型断面形状の突出ガイド金具（２ｅ）が、コ字状断面形状の突出ガイド金具２ｆによって、嵩上げパイプ材２の外側面２ｂに設置される垂直面部２３及び上下に各々ガイド通孔２５ａ、２５ｂを有する上側水平面部２４ａと下側水平面部２４ｂに形成され、固定部材５を構成する線材６Ｂが、前記嵩上げパイプ材２の幅寸Ｗ’の方向に突出する上側水平面部２４ａと下側水平面部２４ｂの各ガイド通孔２５ａ、２５ｂに上方から挿通されて成ることを特徴とする。
【００１４】
請求項７記載の考案の側溝の嵩上げ具は、側溝１の側壁１０の上部１１に設置して前記側壁１０を嵩上げする所定高さの嵩上げパイプ材２と、当該嵩上げパイプ材２を前記側壁１０に固定する固定部材５とから成る側溝１の嵩上げ具であって、前記嵩上げパイプ材２は前記側溝１の側壁１０の幅寸と略同じ幅寸と高さで、水平方向に所定の長さを有する水平なパイプ２０で形成されていると共に、前記固定部材５は、上方が接合片７０で下方が突出片７１の平板より成る垂直な一対の側板７、７で形成され、当該側板７はその上方接合片７０が前記嵩上げパイプ材２の左右の内外側面にそれぞれ接合され、下方突出片７１が下方に突き出されて成ることを特徴とする。
【００１５】
請求項８記載の考案の側溝の嵩上げ具は、前記固定部材５の側板７、７の一対の下方突出片７１、７１に、ボルト孔７２が形成されており、当該下方突出片７１に懸架された側溝１の側壁１０に対し、前記ボルト孔７２に外側又は／及び内側からボルト８で締め付け自在に構成されていることを特徴とする。
【００１６】
請求項９記載の考案の側溝の嵩上げ具は、前記嵩上げパイプ材２、２が、側溝１の両側の側壁１０、１０の上部１１、１１にそれぞれ設置される一対の２本１組単位で構成されていることを特徴とする。
【００１７】
請求項１０記載の考案の側溝の嵩上げ具は、前記嵩上げパイプ材２が、角パイプ２０であることを特徴とする。
【００１８】
請求項１１記載の考案の側溝の嵩上げ具は、前記嵩上げパイプ材２の上に側溝１の蓋体１２が被覆されており、嵩上げされた当該蓋体１２の上面レベルｍが隣接するグランドｇ又は公園の広場等の上面レベル位置ｋとなるように構成されていることを特徴とする。
【００１９】
請求項１２記載の考案の側溝の嵩上げ具は、前記嵩上げパイプ材２の下底面に、嵩上げレベルを調整するレベル調整部材４が付設され、側溝１の側壁１０の嵩上げレベルが調整自在に構成されていることを特徴とする。
【００２０】
請求項１３記載の考案の側溝の嵩上げ具は、前記嵩上げパイプ材２の下底面に付設されたレベル調整部材４が側溝１の側壁１０の上部１１（上面）に設置されることにより、当該レベル調整部材４の高さＨ分で排水可能な隙間９が前記側壁の上方に形成されて成ることを特徴とする。
【００２１】
請求項１４記載の考案の側溝の嵩上げ具は、前記嵩上げパイプ材２の全長が、５００ｍｍ〜２０００ｍｍであることを特徴とする。
【００２２】
請求項１５記載の考案の側溝の嵩上げ具は、前記側溝１の側壁１０に隣接する既設のグランドｇ又は公園の広場等の上における前記側壁１０寄り位置で、当該側壁１０の外側面に沿って固定部材５が垂直方向に支持されつつ、嵩上げパイプ材２が前記既設のグランドｇ等のレベル位置ｋで固定可能に構成されていることを特徴とする。
【考案の効果】
【００２３】
請求項１〜６記載の考案は、所定高さの水平な嵩上げパイプ材が水平方向に所定の長さを有し、その外側面にガイド部材が設置され、固定部材は前記ガイド部材を介し側溝の側壁に沿って垂直に配設される線材や平板であり、パイプ材を利用した簡単な構造でありながら、その嵩上げパイプ材と側壁との一体化が図られた側溝の嵩上げを現場で簡便に行える。また、側溝が嵩上げされ、隣接する改修グランド等との上面レベルを難なく同一にそろえることができるので、古くなった現場土等をグランドの外に搬出せずして現状のグランドの上に新しい土やアスファルト等をそのまま敷設でき、残土処分が不要で、改修工事の容易化と施工コストの低減や工期の短縮、環境保全にも貢献する。さらに、側溝の傷みが激しく側溝を取り外して修理・交換ができない場合でも、既存の側溝や蓋体はそのまま利用して嵩上げを行える利便性に優れている。
【００２４】
また、請求項５記載の考案は、嵩上げパイプ材が側溝の側壁の幅寸より小さい幅寸の場合でも、Ｌ型断面形状の突出ガイド金具より成るガイド部材によって、ガイド通孔が、嵩上げパイプ材の幅寸方向に突出し側溝側壁の外側面に沿って配置されるので、釘等の線材が前記ガイド部材の水平面部のガイド通孔に上方から挿通されて、嵩上げパイプ材と側壁との一体化が図られ、各種の嵩上げパイプ材に対応することができる。さらに、請求項６記載の考案によれば、前記突出ガイド金具がコ字状断面形状に形成され、ガイド通孔が上側水平面部と下側水平面部にそれぞれ形成されているので、釘等の線材がこの上下２段のガイド通孔に挿通され、強力な支持状態で側溝側壁の外側面に沿って位置決め固定しつつ側壁との一体化に万全が図られている。
【００２５】
請求項７、８記載の考案は、固定部材が垂直な側板にて形成され、その一対の下方突出片の中空部に嵩上げパイプ材が嵌合して一体化されるので、前記と同様の効果を奏するほか、簡便に側溝を嵩上げできる施工上の利便性にも優れている。また、請求項６記載の考案のように当該固定具の下方突出片をボルト締めすれば、側溝の側壁とのより一層強固な一体化が図られ、高品質化・安全性の向上にも寄与する。
【００２６】
請求項９記載の考案は、嵩上げパイプ材が側溝の両側の側壁の上部にそれぞれ設置される２本１組の一対で構成されているので、側壁の嵩上げを確実なものとなし、その両嵩上げパイプ材の上に載置される蓋体の安定化も図られる。
【００２７】
請求項１０記載の考案は、嵩上げパイプ材が角パイプであるので、廃材等を利用して実施でき、施工コストの低減化が図られる上、リサイクルに貢献すると共に環境にやさしい嵩上げ構造が実現される。
【００２８】
請求項１１記載の考案は、側溝の側壁の上部に設置した嵩上げパイプ材の上に側溝の蓋体を被覆するだけで、嵩上げされた当該蓋体の上面レベルが隣接するグランドや公園広場の上面レベル位置となり、簡単かつ確実にグランド等への新規な土、砂やアスファルト等の敷設による改修を行える。
【００２９】
請求項１２記載の考案は、嵩上げパイプ材の下底面に、嵩上げレベルを調整するレベル調整部材が付設されているので、長年の使用により側溝の両側壁の高さレベルが設置当初と異なる場合でも、このレベル調整部材を介在させて両側壁を嵩上げする高さの微調整が自在で便利である。
【００３０】
請求項１３記載の考案は、前記のように嵩上げパイプ材の下底面に付設されたレベル調整部材が側溝の側壁の上部に設置されることにより、当該レベル調整部材の高さ分で側溝内への排水可能な隙間が前記側壁の上方に形成されるので、この隙間を利用して特に全天候型グランドの排水機能を高める効果がある。
【００３１】
請求項１４記載の考案は、嵩上げパイプ材の全長が５００ｍｍ〜２０００ｍｍであるので、側溝の長さに対応する嵩上げパイプ材を利用でき、側溝の嵩上げに万全が期されており、使い勝手にも優れる。
【００３２】
請求項１５記載の考案は、側溝の側壁に隣接するグランドや公園の広場等における前記側壁寄り位置で、その側壁に沿って固定部材を支持しつつ嵩上げパイプ材が前記グランド等より高いレベル位置で設置できるから、側溝には一切手をつけずに、側溝に隣接し新たな土等の高さ分上昇したグランド等の堰板の機能を当該嵩上げ具にて実現できる利便性もある。
【考案を実施するための最良の形態】
【００３３】
請求項１〜１５記載の本考案に係る側溝の嵩上げ具の好適な実施形態を、以下図面にしたがって説明する。
【００３４】
本実施形態の側溝の嵩上げ具は、断面形状がＵ字状のコンクリート製側溝１の底面部の両側から立ち上がった両側壁１０、１０の高さを嵩上げするものである。図１に示した砕石やモルタル等の基礎材９１の上に設置された既設の側溝１を、再度持ち上げて交換又は修理する等の作業を一切行わず、側溝１はそのままの状態で、上面の蓋体１２を開け、側溝１の各側壁１０の上部１１に当該嵩上げ具の嵩上げパイプ材２を設置し、固定部材５で固定し、蓋体１２を戻して側壁１０の嵩上げが行える。なお、側溝１はＵ字状の断面形状に限るものではなく、また材質もコンクリート製に限定されるものではなく、各種の側溝１に対応できる。また、蓋体１２も、ゴムやグレーチング、コンクリート等の各種既存の蓋に適応できる。
【００３５】
この側溝の嵩上げ具は、嵩上げパイプ材２の側溝１への固定手段の相違により、以下（１）〜（３）の３タイプに大別される。すなわち、
（１）フック部６０を有する線材６Ａの固定部材５で固定するタイプ、
（２）釘６１等の線材６Ｂや平板６Ｃの固定部材５がガイド部材に挿し込まれて支持・固定するタイプ、
（３）側板７（下方突出片７１）の固定部材５により嵌合させて固定するタイプ、である。
【００３６】
図１〜図５は、前記（１）タイプの嵩上げ具を示している。
【００３７】
嵩上げ具の基本的構造は、側溝１の側壁１０の上部１１に設置して前記側壁１０を嵩上げする所定高さの嵩上げパイプ材２と、当該嵩上げパイプ材２を前記側壁１０に固定する固定部材５とで構成されている。
【００３８】
前記嵩上げパイプ材２、２は、側溝１の両側の側壁１０、１０の上部１１、１１にそれぞれ設置される２本１組の一対で実施される。各嵩上げパイプ材２は水平に配置され、その全長が５００ｍｍ〜２０００ｍｍの角パイプ２０の鋼材で好適に実施される。また、この嵩上げパイプ材２の幅寸と高さは、それぞれ側溝１の側壁１０の上部１１の幅寸と略同じ（例えば５０〜１００ｍｍ）に形成されている。材質も鋼材に限るものではなく、ゴム製やプラスチック製等で実施することも可能である（嵩上げパイプ材２の基本的構成につき以下同じ）。
【００３９】
この（１）タイプの嵩上げパイプ材２は、図２に示した如く、その上面２ａに引掛け孔３が２箇所形成されている。一方、固定部材５は、図４、５に示した如く、側溝１の側壁１０に沿って垂直方向に所定の長さ（側壁１０と略同じ長さであり通常約２００〜３００ｍｍ）を有する線材６Ａにて形成されており、その上部が前記嵩上げパイプ材２の引掛け孔３に係止されるかぎ状のフック部６０に形成されている（図３参照）。
【００４０】
したがって、この（１）タイプの嵩上げ具によれば、側溝１は既設状態のままで、蓋体１２を開け、臨む両側の側壁１０、１０の上部１１、１１にそれぞれ前記嵩上げパイプ材２を載置し、固定部材５の線材６Ａを側壁１０の外側に沿って土中に埋め込んでやるだけで、線材６Ａは側壁１１とグランドｇ（土）との間に挿し込まれた杭のように支持力を得て、嵩上げパイプ材２を側壁１０の上でしっかりと固定でき、側壁１０が嵩上げされる。よって、図５のように、前記嵩上げパイプ材２、２の上に側溝１の蓋体１２を被覆すれば、嵩上げされた当該蓋体１２の上面レベルｍが、隣接して古い土ｇ−１の上にそのまま敷設された新たな土ｇ−３の高さ分（蓋体１２の高さぐらい）だけ上昇したグランドｇの上面レベル位置ｋと同じにそろえることができる（図１）。なお、図１中の側溝１の左側の土ｇ’を、前記嵩上げ分だけ高さ調整するのが好ましい。
【００４１】
図６〜図１２は、前記（２）タイプの嵩上げ具を示している。
【００４２】
このタイプの嵩上げパイプ材２は、図６に示したように、その外側面２ｂの中央部を除く左右対称位置に、同側面２ｂの高さと同じ高さの丸パイプより成るガイドパイプ２ｃ、２ｃが垂直方向に溶接で固定されている。一方、このタイプの固定部材５は、側溝１の側壁１０に沿って垂直方向に所定の長さ（側壁１０と略同じ長さ）を有する釘６１で形成された線材６Ｂにて形成されており、その線材６Ｂが前記嵩上げパイプ材２のガイドパイプ２ｃに上方から挿通されている（図７）。
【００４３】
したがって、この（２）タイプの嵩上げ具の場合も前記（１）タイプと同様に、側溝１はそのままで、蓋体１２を一時的に取り除き、臨む両側の側壁１０、１０の上部１１、１１に、それぞれ前記嵩上げパイプ材２を、前記ガイドパイプ２ｃが外向きとなる配置、つまりガイドパイプ２ｃが前記側溝１の両側の側壁１０、１０の外側面に対しそれぞれ垂直方向に位置する配置で載置し、固定部材５の線材６Ｂを側壁１０の外側に沿って土中に垂直方向に埋め込んでやるだけで、杭のように支持力が得られると共に、嵩上げパイプ材２は側壁１０の上でしっかりと一体化固定される。最後に、蓋体１２を元のように被覆してやれば側壁１０の嵩上げが完了する。
【００４４】
なお、この（２）タイプにおいて、前記ガイドパイプ２ｃを使用せずに、釘６１等の線材の上部を前記嵩上げパイプ材２の外側面２ｂに溶接等により固着する形態で実施することも可能である（図示は省略）。
【００４５】
また、図９〜図１２は前記（２）タイプの嵩上げ具の場合の異なる実施形態を示している。本実施形態では、嵩上げパイプ材２が小さい場合に好適である。図９に例示したように、このガイド部材はＬ型断面形状の突出ガイド金具２ｅであり、Ｌ型アングルにより垂直面部２３及びガイド通孔２５を有する水平面部２４に形成されている。前記垂直面部２３が、嵩上げパイプ材２の外側面２ｂに溶接で固着され、水平面部２４が外方に突き出ている。
【００４６】
したがって、図１０に示したように、嵩上げパイプ材２が側溝１の側壁１０の幅寸Ｗより小さい幅寸Ｗ’の場合でも、このＬ型断面形状の突出ガイド金具２ｅによって、ガイド通孔２５の位置を、嵩上げパイプ材２の幅寸Ｗ’の方向に突出し且つ側溝１の側壁１０の外側面の延長上部に配設でき、前記ガイド部材の水平面部２４のガイド通孔２５に上方から挿通された釘６１等の線材６Ｂは、側壁１の外側面に沿って配設されている。
【００４７】
図１１は、前記突出ガイド金具の異なる形態を示している。この突出ガイド金具２ｆは、コ字状断面形状の金具で形成されている。即ち、前記の垂直面部２３と、上下２段に各々ガイド通孔２５ａ、２５ｂを有する上側水平面部２４ａと下側水平面部２４ｂに形成されている。よって、固定部材５の釘６１等の線材６Ｂが、前記嵩上げパイプ材２の幅寸Ｗ’の方向に突出する上側水平面部２４ａと下側水平面部２４ｂの上下２段のガイド通孔２５ａ、２５ｂに上方から挿通され、揺動することなく垂直方向への不動状態を維持し、側溝１の側壁１０の外側面に沿って支持力を得て位置決め固定される（図１２）。
【００４８】
図１３と図１４は、前記（２）タイプの異なる嵩上げ手段を示している。
【００４９】
同図の嵩上げパイプ材２のガイド部材が、前記のような丸パイプのガイドパイプ２ｃや突出ガイド金具２ｅ、２ｆの代わりに、把手形状のガイド金具２ｄで形成されている。このガイド金具２ｄは、後述する平板６Ｃの固定部材５が挿し込まれるように上下に貫通する挿し込み孔２１を有する厚さ約１〜２ｍｍ、幅寸約５０〜１００ｍｍ、高さ約２５〜４０ｍｍぐらいで、嵩上げパイプ材２の外側面２ｂの左右両側に溶接で固着されている。
【００５０】
前記固定部材５に使用される平板６Ｃは、前記釘６１等の線材に代わり、垂直配置の薄い平鋼（厚さ約１〜２ｍｍ、幅寸約５０〜１００ｍｍ、長さ約１００〜２００ｍｍ）の下端部をＶ字状に尖った尖鋭部６２に形成して実施される。
【００５１】
したがって、本実施形態の嵩上げ具の場合も前記線材６Ｂとガイドパイプ２ｃ等を利用した場合と同様に、ガイド金具２ｄの挿し込み孔２１の上方から平板６Ｃ（固定部材５）が挿通され、側壁１０の外側に沿ってグランド中に垂直方向に埋め込まれることにより、その尖鋭部６２がくさび（杭）のように下方に突き進み支持力を得て、嵩上げパイプ材２と側壁１０とが懸架状態で一体化固定される。特に、図１４のようなアスファルトが舗装されたいわゆる全天候型グランドｇにおいて、同グランドｇ−１’と側溝１（側壁１０）との間に固定具５が挿し込まれにくい場合に、この薄い平板６Ｃの固定具５を利用して容易に側溝の嵩上げを行うことができ、表層の古いアスファルト舗装ｇ−１’の上に新しいアスファルトｇ−３’を直に敷設できる。
【００５２】
但し、本実施形態において、前記ガイド金具２ｄを使用せずに、平板６Ｃの上部を前記嵩上げパイプ材２の外側面２ｂに溶接で固着して実施することも可能である（図示は省略）。
【００５３】
なお、図１５に例示したような嵩上げパイプ材２の下底面にレベル調整部材４を付設する形態も好適に実施される。即ち、同図に図示例の嵩上げ具は、嵩上げパイプ材２の下底面に、嵩上げレベルを調整するレベル調整部材４が付設され、側溝１の側壁１０の嵩上げレベルが調整自在に構成されている。嵩上げしたい所望の高さＨ分に当該レベル調整部材４を形成して実施される。このレベル調整部材４の材質や形状・大きさ等は限定されないが、例えば、図示例のような丸棒のほか、金具や石材・プラスチック製の緩衝材又はゴム製パッキンや、モルタルを盛ったりする等で形成することができる。したがって、側溝１の両側壁１０、１０の高さレベルが設置当初と異なる場合でも、このレベル調整部材４が嵩上げパイプ材２と側溝１の側壁１０との間に介在されることにより、両側壁１０、１０における所望の嵩上げレベルの微調整が可能である。
【００５４】
また、前記レベル調整部材４が、側溝１の側壁１０の上部１１（上面）と嵩上げパイプ材２との間に介在されることにより、当該レベル調整部材４の高さＨ分で排水可能な隙間９が形成されるので、この隙間９を利用して隣接するグランド側から側溝１への排水性能を高める副次的機能を併有する。
【００５５】
また、図１６は上記（１）と（２）の各タイプの嵩上げ具の応用例を示している。すなわち、既設の側溝１と蓋体１２はそのままで、当該側溝１の側壁１０に隣接するグランドｇ上における前記側壁１０寄り位置で、当該側壁１０の外側面に固定部材５（６Ａ、６Ｂ、６Ｃ）を沿うように当てがって支持しつつ、嵩上げパイプ材２の上面が前記グランドｇより高いレベル位置ｋ（新たな土ｇ−３）になるように設置して固定する形態である。側溝１１の蓋体１２の上面レベルと新たな土ｇ−３の上面レベルｋとの一致は図れないが、嵩上げパイプ材２がいわば堰板の役目を果たすので、新たな土ｇ−３を敷設しても側溝１の直前で堰き止めることができる。同図中、符号９０は反対側の擁壁である。
【００５６】
図１７〜図２４は、上記（３）タイプの嵩上げ手段を示している。
【００５７】
この固定部材５は、上方が接合片７０で下方が突出片７１の平板より成る垂直な薄い平鋼の側板７で形成されている。この側板７が、前記嵩上げパイプ材２の外側面２ｂと内側面のそれぞれ中央部を除く左右対称位置に設置されている。つまり１本の嵩上げパイプ材２の左側の内外側面で一対（２枚）、右側の内外側面に一対（２枚）の合計４枚の側板７・・・で構成されている。但し、前記外側面２ｂか内側面の一方の側面だけに側板７を設置して実施することも可能である（図示は省略）。いずれにしても、この側板７の上半部分の上方接合片７０が前記嵩上げパイプ材２の側面２ｂに溶接で接合され、下半部分の下方突出片７１が下方に突き出た状態で複数設置されている。
【００５８】
したがって、本実施形態の嵩上げ具によれば、前記嵩上げパイプ材２に付設された一対の側板７、７の下方突出片７１、７１内の中空部を、前記側溝１の両側の側壁１０、１０の上部１１、１１にそれぞれ嵌合して設置すれば、当該側板７の下方突出片７１・・・が側壁１０の内外の側面に沿って垂直方向に配置され、嵩上げパイプ材２と側壁１０に懸架する一体化状態で側溝を簡単に嵩上げすることができる（図１９）。
【００５９】
また、当該側板７、７の下方突出片７１にボルト孔７２を形成して実施すれば、当該下方突出片７１に嵌合された側溝１の側壁１０に対し、前記ボルト孔７２を利用してボルト８で締め付け、側壁１０に対し強固に接合して固定することができる。図２０〜図２２は、側板７の外側の下方突出片７１にボルト孔７２を形成して実施するケースを示しているが、図２３と図２４に図示したように、側板７の内側の下方突出片７１にボルト孔７２を形成して実施すれば、側溝１の内部空間でボルト８を楽に締め付けることができる。
【００６０】
なお、この（３）タイプの固定部材５の応用例として、図示を省略したＨ型鋼を利用する形態で実施することもできる。断面形状がＨ型で、前記一対の側板７、７がフランジに相当する小型のＨ型鋼にて固定部材５を形成し、前記フランジ間の上部中空内に嵩上げパイプ材２を設置しておき、フランジ間の下部中空内を、側溝１の側壁１０の上部１１に嵌合して前記同様に側壁１０の嵩上げを行うのである。
【図面の簡単な説明】
【００６１】
【図１】側溝の嵩上げ具の使用状態を示したグランドの断面図である。
【００６２】
【図２】タイプ（１）の一対の嵩上げパイプ材を示した平面図である。
【００６３】
【図３】図２の嵩上げパイプ材に固定具を取り付けた状態を示した平面図である。
【００６４】
【図４】図３の正面図である。
【００６５】
【図５】タイプ（１）の嵩上げ具を使用して嵩上げされた側溝を示した断面図である。
【００６６】
【図６】Ａ、Ｂはタイプ（２）の一対の嵩上げパイプ材を示した平面図と正面図である。
【００６７】
【図７】Ａ、Ｂは図６の嵩上げパイプ材に固定具を取り付けた状態を示した平面図と正面図である。
【００６８】
【図８】タイプ（２）の嵩上げ具を使用して嵩上げされた側溝を示した断面図である。
【００６９】
【図９】異なるタイプ（２）の嵩上げ具を使用して嵩上げされた側溝を示した斜視図である。
【００７０】
【図１０】異なるタイプ（２）の嵩上げ具を使用して嵩上げされた側溝を示した断面図である。
【００７１】
【図１１】異なるタイプ（２）の嵩上げ具を使用して嵩上げされた側溝を示した斜視図である。
【００７２】
【図１２】異なるタイプ（２）の嵩上げ具を使用して嵩上げされた側溝を示した断面図である。
【００７３】
【図１３】Ａ、Ｂは異なるタイプ（２）の一対の嵩上げパイプ材を示した平面図と正面図である。
【００７４】
【図１４】異なるタイプ（２）の嵩上げ具を使用して嵩上げされた側溝を示した断面図である。
【００７５】
【図１５】レベル調整部材の使用例を示した斜視図である。
【００７６】
【図１６】嵩上げ具の異なる使用状態を示したグランドの断面図である。
【００７７】
【図１７】タイプ（３）の一対の嵩上げパイプ材と固定具を示した平面図である。
【００７８】
【図１８】図１７の正面図である。
【００７９】
【図１９】タイプ（３）の嵩上げ具を使用して嵩上げされた側溝を示した断面図である。
【００８０】
【図２０】Ａ、Ｂはタイプ（３）の嵩上げ具の異なる固定具の実施形態を示した平面図と正面図である。
【００８１】
【図２１】Ａ、Ｂは図２０の固定具のボルト締め状態を示した平面図と正面図である。
【００８２】
【図２２】タイプ（３）の異なる固定具の実施形態を示した断面図である。
【００８３】
【図２３】タイプ（３）の異なる固定具の実施形態を示した断面図である。
【００８４】
【図２４】タイプ（３）の異なる一対の固定具の平面図である。
【００８５】
【図２５】Ａ、Ｂ、Ｃは従来例を示した断面図である。
【符号の説明】
【００８６】
ｇ      グランド
１      側溝
１０    側壁
１１    上部
１２    蓋体
２      嵩上げパイプ材
２０    パイプ
２１    挿し込み孔
２５    ガイド通孔
２ｃ    ガイドパイプ（ガイド部材）
２ｄ    ガイド金具（ガイド部材）
２ｅ    Ｌ型突出ガイド金具（ガイド部材）
２ｆ    コ字状突出ガイド金具（ガイド部材）
３      引掛け孔
４      レベル調整部材
５      固定部材
６０    フック部
６１    釘
６２    尖鋭部
６Ａ    線材
６Ｂ    線材
６Ｃ    平板
７      側板
７０    上方接合片
７１    下方突出片
７２    ボルト孔
８      ボルト
９      隙間
【図１】
0003107971.tif 000003
【図２】
0003107971.tif 000004
【図３】
0003107971.tif 000005
【図４】
0003107971.tif 000006
【図５】
0003107971.tif 000007
【図６】
0003107971.tif 000008
【図７】
0003107971.tif 000009
【図８】
0003107971.tif 000010
【図９】
0003107971.tif 000011
【図１０】
0003107971.tif 000012
【図１１】
0003107971.tif 000013
【図１２】
0003107971.tif 000014
【図１３】
0003107971.tif 000015
【図１４】
0003107971.tif 000016
【図１５】
0003107971.tif 000017
【図１６】
0003107971.tif 000018
【図１７】
0003107971.tif 000019
【図１８】
0003107971.tif 000020
【図１９】
0003107971.tif 000021
【図２０】
0003107971.tif 000022
【図２１】
0003107971.tif 000023
【図２２】
0003107971.tif 000024
【図２３】
0003107971.tif 000025
【図２４】
0003107971.tif 000026
【図２５】
0003107971.tif 000027